(57)【要約】【課題】封筒に封入封緘された封入物に対して、封緘後に開封することなく、封入物の封筒への誤封入や、複数ページの封入物の整合について安価に、高速に検査することができる封入物検査装置の提供。【解決手段】封入物Ｃを内包した封筒Ｅを検査する封入物検査装置５０であって、前記封筒の表面又は裏面を、特定の近赤外線の波長で照射する近赤外線ＬＥＤからなる照射部５１と、近赤外線感度特性を有する撮像素子５３３を用いて、前記封筒が前記照射部５１で照射されている際に、前記封入物に印刷された、ページを識別するページ識別情報を含む領域又は/及び前記封筒の宛名を識別する宛名識別情報を含む領域を、前記照射部から照射された前記近赤外線の光を吸収又は反射させて形成させた像であって、前記封筒が透過している透過画像を撮影する撮影部５３と、を備える、封入物検査装置。【選択図】図４
2018058258.tif 000002
【特許請求の範囲】
【請求項１】
封筒に内包された封入物を検査する封入物検査装置であって、
前記封筒の表面又は裏面を、特定の近赤外線の波長で照射する近赤外線ＬＥＤからなる照射部と、
近赤外線感度特性を有する撮像素子を用いて、前記封筒が前記照射部で照射されている際に、前記封入物に印刷された、ページを識別するページ識別情報を含む領域又は/及び前記封筒の宛名を識別する宛名識別情報を含む領域を、前記照射部から照射された前記近赤外線の光を吸収又は反射させて形成させた像であって、前記封筒が透過している透過画像を撮影する撮影部と、を備える、
封入物検査装置。
【請求項２】
前記近赤外線ＬＥＤは、１２００ｎｍ〜１５５０ｎｍの近赤外線の波長で、前記封筒の表面又は裏面を照射し、前記ページ識別情報又は/及び前記宛名識別情報は、近赤外線を透過しないトナー又は顔料インクを用いて前記封入物に印刷されている、
請求項１に記載の封入物検査装置。
【請求項３】
前記封筒は少なくとも一部に透明板を含む検査路上に載置された状態で照射され、
前記照射部は、第１照射部を備え、
前記撮影部は、前記第１照射部と前記検査路を挟んで反対側に、前記第１照射部と対向するように配置された第１撮影部を備え、
前記封入物は、複数のページによって層状に、又は複数のページの各ページが折り畳まれることで層状に、前記封筒内で内包されており、
前記封入物の夫々のページに、前記ページ識別情報として、該各ページに対応付けられた識別マークが、識別用に専用に印刷されており、
前記第１照射部からの前記近赤外線の光を吸収した、前記封入物の複数のページの、前記各ページを識別する専用の識別マークを、前記第１撮影部で撮影する、
請求項１又２に記載の封入物検査装置。
【請求項４】
前記封筒は検査路上に載置された状態で照射され、
前記照射部は、第２照射部を備え、
前記撮影部は、前記第２照射部と前記検査路に対して同じ側に配置された第２撮影部を備え、
前記封入物の特定の１ページには、前記宛名識別情報として、前記宛名を識別する通常の文字、数字若しくは図形が印刷されており、
前記第２照射部からの前記近赤外線の光を反射した、前記特定の１ページの前記宛名を識別する通常の文字、数字若しくは図形を、前記第２撮影部で撮影する、
請求項１乃至３のいずれか一項に記載の封入物検査装置。
【請求項５】
前記第１照射部は前記検査路の上方に配置される上方第１照射部と、前記検査路の下方に配置される下方第１照射部を備え、
前記撮影部は、前記検査路の下方に、前記上方第１照射部と対向するように配置される下方第１撮影部と、前記検査路の上方に、前記下方第１照射部と対向するように配置される上方第１撮影部と、を備え、
前記下方第１撮影部では、前記上方第１照射部から照射された前記近赤外線の光を吸収した、前記封入物の下側の複数のページにおける前記各ページを識別する専用の識別マークを撮影し、
前記上方第１撮影部では、前記下方第１照射部から照射された前記近赤外線の光を吸収した、前記封入物の上側の複数のページにおける、前記各ページを識別する専用の識別マークを撮影する、
請求項３に記載の封入物検査装置。
【請求項６】
前記封筒は検査路上に載置された状態で照射され、
前記照射部は、第１照射部と、該第１照射部と前記検査路を挟んで反対側に配置された第２照射部とを備え、
前記撮影部は、前記第１照射部と前記検査路を挟んで反対側であって、前記第１照射部と対向するように配置された一体型撮影部を備え、
前記封入物は、複数のページによって層状に、又は複数のページの各ページが折り畳まれることで層状に、前記封筒内で内包されており、
前記封入物の夫々のページに、前記ページ識別情報として、該各ページに対応付けられた識別マークが、識別用に専用に印刷され、
前記封入物の特定の１ページには、前記宛名識別情報として、前記宛名を識別する通常の文字、数字若しくは図形が印刷されており、
前記一体型撮影部は、前記第１照射部からの前記近赤外線の光を吸収した、前記封入物の複数のページの、前記各ページを識別する専用の識別マークを、前記一体型撮影部で撮影するとともに、前記第２照射部からの前記近赤外線の光を反射した、前記特定の１ページの前記予め印刷された前記宛名を識別する文字、数字若しくは図形を、前記一体型撮影部で撮影し、
前記封入物において、前記各ページを識別する専用の識別マークを含む領域は、前記宛名を識別する通常の文字、数字若しくは図形を含む領域とは異なる位置に設けられている、
請求項１又は２に記載の封入物検査装置。
【請求項７】
前記封筒は、少なくとも一部に透明板を含む検査路上に載置された状態で照射され、
前記照射部は、一体型照射部を備え、
前記撮影部は、前記一体型照射部と前記検査路を挟んで反対側に、前記一体型照射部と対向するように配置される第１撮影部と、前記一体型照射部と前記検査路に対して同じ側に配置された第２撮影部とを備え、
前記封入物は、複数のページによって層状に、又は複数のページの各ページが折り畳まれることで層状に、前記封筒内で内包されており、
前記封入物の夫々のページに、前記ページ識別情報として、該各ページに対応付けられた識別マークが、識別用に専用に印刷され、
前記封入物の特定の１ページには、前記宛名識別情報として、前記宛名を識別する通常の文字、数字若しくは図形が印刷されており、
前記一体型照射部からの前記近赤外線の光を吸収した、前記封入物の複数のページの、前記各ページを識別する専用の識別マークを、前記第１撮影部で撮影し、
前記一体型照射部からの前記近赤外線の光を反射した、前記特定の１ページの前記宛名を識別する通常の文字、数字若しくは図形を、前記第２撮影部で撮影する、
請求項１又は２に記載の封入物検査装置。
【請求項８】
前記各ページを識別する専用の識別マークは、形状によって識別される、数字、図形、若しくは文字のいずれか、又は所定数枚を重ねることで、「何らかの数字、図形、若しくは文字」になるような、数字、文字、若しくは記号のいずれかの一部であって、
前記撮影部は、「数字、図形、若しくは文字」を撮影することで、所定の枚数の封入物が封入されていることが確認可能である、
請求項３、５〜７のいずれか一項に記載の封入物検査装置。
【請求項９】
撮影された識別情報を判別する情報処理部を備えており、
前記情報処理部は、前記透過画像に対して光学的文字認識処理を行うことで、前記ページ識別情報の専用の識別マークである数字、図形、若しくは文字、又は/及び、前記宛名識別情報である前記宛名を識別する通常の文字、数字、若しくは図形を検出する、
請求項４又は８に記載の封入物検査装置。
【請求項１０】
前記情報処理部は、前記透過画像に対してエッジ処理を施した後に、前記光学的文字認識処理を行う、
請求項９に記載の封入物検査装置。
【請求項１１】
前記封筒を、少なくとも一部に透明板を含む検査路上で搬送させる搬送手段を備え、
前記撮影部は、前記検査路上を搬送されている前記封筒が、前記撮影部と対向する位置に到達する際に撮影する、
請求項１乃至１０のいずれか一項に記載の封入物検査装置。
【請求項１２】
前記封筒を前記検査路側に押される押さえ手段を備え、
前記検査路上で、前記封筒が押さえられた状態で、前記照射部によって近赤外線が照射され、前記撮影部によって撮影される、
請求項１１項に記載の封入物検査装置。
【請求項１３】
前記封筒を透過させて撮影された画像と、前記ページを識別するページ識別情報の印刷データ又は/及び前記封筒の宛名を識別する宛名識別情報の印刷データとを比較して、前記封筒に封入されている前記封入物が適合品か否かを判別する判別部を有する、
請求項１乃至１２のいずれか一項に記載の封入物検査装置。
【請求項１４】
前記封筒を透過させて撮影された画像を、前記ページを識別するページ識別情報の印刷データ又は/及び前記封筒の宛名を識別する宛名識別情報の印刷データと対応付けて表示させる表示部を有する、
請求項１乃至１３のいずれか一項に記載の封入物検査装置。
【請求項１５】
封筒に、印刷された封入物を封緘する封緘装置と、
請求項１乃至１４のいずれか一項に記載の封入物検査装置と、を備え、
前記封緘装置及び前記封入物検査装置は、封入物に印刷を行う印刷装置、又は該印刷装置に接続され印刷用のデータを作成するサーバーと接続されている、
封入封緘検査システム。
【請求項１６】
前記封入物検査装置で前記封筒を透過させて撮影された画像を蓄積して保存する撮影画像蓄積部を備える、
請求項１５に記載の封入封緘検査システム。
【請求項１７】
前記封緘装置及び前記封入物検査装置は、前記印刷装置又は前記サーバーから、特定の１ページの宛名に対応する印刷データ、又は/及び、予め設定された前記ページを識別する識別マークのデータを取得する、
請求項１５又は１６に記載の封入封緘検査システム。
【請求項１８】
前記封入物検査装置は、前記封筒を透過させて撮影された画像と、前記印刷装置又は前記サーバーから取得した、前記ページを識別するページ識別情報の印刷データ又は/及び前記封筒の宛名を識別する宛名識別情報の印刷データとを比較して、前記封筒に封入されている前記8封入物が適合品か否かを判別する判別部を有しており、
前記封入物検査装置の判別結果において、前記封筒の搬送先を振り分ける振り分け装置を備える、
請求項１７に記載の封入封緘検査システム。
【請求項１９】
前記封緘装置は、前記封入物を層状に折り畳む折り部を備え、
前記折り部は、前記封筒に挿入可能になるサイズで、各封入物において、前記ページ識別情報を含む部分が、他の部分と重ならないように折る、
請求項１５乃至１８のいずれか一項に記載の封入封緘検査システム。
【請求項２０】
封筒の内面の少なくとも一部には、近赤外線を透過する水性インクを用いた印刷により、可視光透け防止地紋が形成されており、
前記封筒に挿入される封入物には、ページを識別するページ識別情報又は/及び前記封筒の宛名を識別する宛名識別情報が、近赤外線を透過しないトナー又は顔料インクを用いて印刷されている、
封緘物。
【請求項２１】
前記封筒には、前記可視光透け防止地紋が印刷されている領域と前記可視光透け防止地紋が印刷されていない領域とが設けられ、
前記封入物が封筒に内包された状態で、前記封筒の「可視光透け防止地紋が印刷されていない領域」に対応する箇所の、前記封入物の領域に、前記ページ識別情報又は/及び前記宛名識別情報が印刷される、
請求項２０に記載の封緘物。
【請求項２２】
封筒の封入物には、ページを識別するページ識別情報又は/及び前記封筒の宛名を識別する宛名識別情報が近赤外線を透過しないトナー又は顔料インクを用いて印刷された部分と、前記ページ識別情報又は/及び前記宛名識別情報が印刷される部分とは異なる部分に位置に、機密情報が印刷された部分とが設けられており、
前記封入物が封筒に内包された状態で、前記機密情報が印刷される部分に対応する箇所の、前記封筒の内面又は外面の領域には、可視光及び前記近赤外線を透過しないトナー又は顔料インクを用いて、可視光及び近赤外線透け防止地紋が印刷される、
封緘物。
【請求項２３】
封入物を内包した封筒に対して、ＬＥＤを用いて、特定の近赤外線の波長を照射する、照射ステップと、
近赤外線感度特性を有する撮像素子を用いて、前記封筒が照射されている際に、前記封入物に印刷された、ページを識別するページ識別情報を含む領域又は/及び前記封筒の宛名を識別する宛名識別情報を含む領域を、照射された前記近赤外線の光を吸収又は反射させて形成させた像であって、前記封筒が透過している透過画像を撮影する、撮影ステップと、を有する、
封入物検査方法。
【発明の詳細な説明】
【技術分野】
【０００１】
本発明は、封入物検査装置、該封入物検査装置を備える封入封緘検査システム、封緘物及び封入物検査方法に関する。
【背景技術】
【０００２】
封筒に様々な書類を封入封緘して、所定の宛先へ郵送することが通常行われている。しかし、封筒に封入された書類に個人情報などが記載されたものが誤って他人に送付される誤送付の事例が後を立たず、個人情報が漏洩してしまうおそれがあった。
【０００３】
その対策として、封筒内の封入物の確認する場合、封筒に封入封緘される前であれば、書類の宛先などの確認をすることは容易であるが、封入封緘後に、宛先を確認しようとすると、一度開けて確認する作業を行わなければならない。
【０００４】
しかし、確認のために一度開封すると、再度封入する際に誤混入などが発生するおそれがあり、人的作業による対策では、１００％上記の誤送付を防止できるとは言い難かった。そこで、機械による対策として、封筒に封入封緘された書類に対して、封筒を開封することなく、正しい宛先に送付されるべき書類なのかどうかの確認を行う封筒透過技術が提案されている。
【０００５】
例えば、特許文献１では、ハロゲンランプを用いて可視光を光源として封筒に照射すると共に、０．０１ＴＨｚ〜１００ＴＨｚのテラヘルツ波である電磁波を照射させて、電磁波を吸収又は反射させて封筒を透過したテラヘルツ波を検出することで封筒の記載内容及び封入物の記載内容を検出することが提案されている。
【０００６】
また、特許文献２では、封入物の種類を識別するために複数種類の可逆熱変色性記録材で形成されたカラーコードに対応付けられて、カラーコードと同数であって、色によって光量の異なる複数の投光部を設けることで、封入物の組み合わせを検知している。
【発明の概要】
【発明が解決しようとする課題】
【０００７】
しかし、特許文献１に記載されたテラヘルツ波を使用すると、光源及び検出装置が高額となる。また、封筒情報の判別のための可視光の光源にハロゲンランプを使用することがあるが、熱で高温となることで別に冷却装置が必要となるために、製品コストが高く、大型化してしまう。また、テラヘルツの電磁波は、露光に時間がかかるため、透過結果を検出するのに時間を要し、高速処理、大量処理には不向きである。
【０００８】
また、特許文献２では、検査対象となる、封入物のページに対応付けられた、複数種類の識別用のコードの数に合わせて同数の光源が必要になるため、装置が大型化し、高額になってしまう。
【０００９】
さらに、特許文献１では識別のために、インク材に炭酸カルシウムまたは黒鉛などを混合させた電磁波が吸収させやすいインクや、インク材に金属材料を混合させた電磁波が反射させやすいインクで識別子を印刷する必要があり、特許文献２では、識別のために可逆熱変色性記録材でコードを印刷する必要があるため、印刷工程において、特殊なインクを準備する工程が必要となり、印刷時の時間が増えてしまう。
【００１０】
そこで、本発明は上記事情に鑑み、封筒に封入封緘された封入物に対して、封緘後に開封することなく、封入物の封筒への誤封入や複数ページの封入物の整合について安価に、高速に検査することができる封入物検査装置を提供することを目的としている。
【課題を解決するための手段】
【００１１】
上記課題を解決するため、本発明の一態様では、封入物を内包した封筒を検査する封入物検査装置であって、
前記封筒の表面又は裏面を、特定の近赤外線の波長で照射する近赤外線ＬＥＤからなる照射部と、
近赤外線感度特性を有する撮像素子を用いて、前記封筒が前記照射部で照射されている際に、前記封入物に印刷された、ページを識別するページ識別情報を含む領域又は/及び前記封筒の宛名を識別する宛名識別情報を含む領域を、前記照射部から照射された前記近赤外線の光を吸収又は反射させて形成させた像であって、前記封筒が透過している透過画像を撮影する撮影部、を備える
封入物検査装置を提供する。
【発明の効果】
【００１２】
一態様によれば、封入物検査装置において、封筒に封入封緘された封入物に対して、封緘後に開封することなく、封入物の封筒への誤封入や複数ページの封入物の整合について、安価に、高速に検査することができる。
【図面の簡単な説明】
【００１３】
【図１】本発明の一実施形態の封入物検査装置を備える一体型の封入封緘検査システムの一例の図。
【図２】本発明の一実施形態の封入物検査装置を含む印刷・封入・封緘・確認・仕分けを含む封入封緘検査システムの全体フローの模式図。
【図３】本発明の第１実施形態の封入物検査装置の概略模式図及び上面図。
【図４】本発明の第１実施形態の封入物検査装置の機能ブロック図。
【図５】封入物検査装置に含まれる情報処理装置のハードウエアブロック図。
【図６】図３の第１実施形態の封入物検査装置で用いられる封入物におけるページ識別情報及び宛名識別情報の位置と折り方を示す図。
【図７】図６の具体的な封入物のページ識別用の識別マーク領域の位置を示す図。
【図８】本発明の封入物検査装置で検査可能な封筒の例を示す図。
【図９】本発明の封入物検査装置でも透過されない部分を含む封筒の例を示す図。
【図１０】本発明の封入物検査装置で実施される画像処理を説明する図。
【図１１】本発明の第２実施形態の封入物検査装置の概略模式図及び封筒内の照射・検出イメージ図。
【図１２】本発明の第３実施形態の封入物検査装置の概略模式図及び封筒内の照射・検出イメージ図。
【図１３】本発明の第３実施形態の封入物検査装置のブロック図。
【図１４】図１２の第３実施形態の封入物検査装置で用いられる封入物における、宛名識別情報の位置を示す図。
【図１５】本発明の第４実施形態の封入物検査装置の概略模式図。
【図１６】本発明の第５実施形態の封入物検査装置の概略模式図。
【図１７】本発明の第６実施形態の封入物検査装置の概略模式図と、第６実施形態で用いられ封入物の例を示す図。
【図１８】本発明の第７実施形態の封入物検査装置の概略外観図。
【図１９】本発明の一構成に係る独立型の封入物検査装置の概略外観図。
【図２０】本発明の他の構成に係る手動押し付け型の独立型の封入物検査装置にて検査している状態を示す図。
【発明を実施するための形態】
【００１４】
以下、図面を参照して本発明を実施するための形態について説明する。下記、各図面において、同一構成部分には同一符号を付し、重複した説明を省略する場合がある。
【００１５】
＜全体システム＞
図１に、本発明の一実施形態の封入物検査装置５０を備える一体型の封入封緘検査システム１の一例の図を示す。
【００１６】
図１に示すシステム（封入封緘検査システム）１は、折り部２０、封入部３０、封緘部４０、封入物検査部（封入物検査装置）５０及び仕分け部６０を備える。
【００１７】
ここで、折り部２０、封入部３０及び封緘部４０はインサーター（封緘装置）１０である。
【００１８】
折り部（折加工部）２０は、必要に応じて封入物（内容物）Ｃである書類を折り曲げる。折り方の詳細は、図７を用いて詳述する。
【００１９】
折り部２０には、チャンネル部が設けられ、チャンネル部では、封筒Ｅ（図２参照）と封入物Ｃを対応づけるように、例えばＯＭＲマークやバーコードにより宛名情報を読み取り（名寄せし）、アキュームレータや他の振り分け手段を用いて、夫々の書類は後段の封入部３０の各区画へ別々に振り分ける。
【００２０】
なお、折り部２０は、折り曲げで、はみ出た部分を自動的に切断するようなカッターを備えていてもよい。
【００２１】
下記、封入物として書類を例に挙げて説明するが、封入物は、封筒内に収められる、印刷が行われた記録媒体（物体）であれば、材質としては「紙」に限られない。なお、記録媒体は、情報を記録することが可能であり、本発明の照射光である近赤外線の光を透過させる性質を有していればよい。
【００２２】
封入部３０では、封入物Ｃを封筒Ｅに入れる。図１に示す封入は、スイングアーム式を用いているため、幅広い同封物に対応できる。例えば、１つの区画（スイングアーム）毎に１つの書類が供給可能であり、１つの封筒Ｅが図１の矢印方向に搬送されている際に、１又は複数の区画から、封入対象となる１又は複数の書類（封入物）Ｃが順々に供給されて、搬送中の封筒Ｅに挿入される。
【００２３】
封緘部４０で、封入物Ｃが封入された封筒Ｅを糊付けして閉じる。即ち、封緘する。
【００２４】
このような封緘装置１０の処理速度は、例えば、最大１０，０００通／時（名寄せ枚数１枚）の処理速度を持つ、中速レンジの多用途型封入封緘機であるが、速度や用途はこれに限られない。
【００２５】
封入物検査装置５０は、封筒Ｅ内の封入物Ｃを検査する。詳しくは、近赤外線カメラを使用して封緘済みの内容物（封筒に内包された封入物）を確認するソリューションである。封入物検査装置５０の詳細は、図３〜図５等を用いて後述する。
【００２６】
封入物検査装置５０には、タッチパネル（表示部の一例）５６が設けられていてもよく、タッチパネルにより、検査結果を表示し、入力により作業内容の登録・設定や作業状態を表示させてもよい。タッチパネルを設けることで、オペレーション負荷の低減とアイドリングタイムの削減が可能になる。
【００２７】
仕分け部６０は、封入物検査装置５０での、封筒Ｅ内の封入物Ｃの検査結果に応じて、検査後の封筒（検査結果に応じた合格品と不合格品）の搬送先を振り分ける。
【００２８】
図２に、本発明の一実施形態の封入物検査装置５０を含む印刷・封入・封緘・確認・振り分けを含む封入封緘検査システム１の全体フローの模式図を示す。
【００２９】
Ｓ１：印刷指示。サーバー７０から印刷装置へ印刷を指示する。図１の封入封緘検査システム１は、印刷システム（例えばインクジェットプリンタ（ＩＪ））９０やサーバー７０と接続されている。あるいは、サーバー７０は封入封緘検査システム１の構成要素であってもよい。
【００３０】
Ｓ２：印刷。画像データや識別マークのデータに基づき、書類上に画像や文字や識別マークを印刷する。なお、識別マークは内容物と同様の文字や数字を用いる場合は、他の記載内容と一緒に印刷するが、識別マークが専用で特殊なものは、ＰＤＦファイルでその識別マーク取り込んでもよい。
【００３１】
Ｓ３：折加工。封入される書類（封入物）Ｃを折り畳む。折り方については、図７を用いて後述する。
【００３２】
Ｓ４：封入。封筒Ｅに書類Ｃを封入する。本発明が適用可能な封筒とは、一般的な封筒であり、目視可能な透明窓を備える窓付き封筒（ＷＥ）、備えない窓無し封筒（ＢＥ）のいずれであってもよい。また、図８や図９に示す特殊な悪用防止封筒Ｅ１，Ｅ２であってもよい。
【００３３】
Ｓ５：封緘。封緘する。
【００３４】
Ｓ６：検査。近赤外線透視により内容を読み取る。
【００３５】
Ｓ７：内容整合。読み取りデータ（透視撮影画像）とマスタデータ（識別マークや１ページ目の宛名の識別情報）とのマッチングを行う。
【００３６】
その後、内容整合の結果に応じて、仕分けしてもよい。
【００３７】
このようにサーバーを用いて印刷作業及び封緘作業と連携して、マスタデータを参照しながら封緘物を検査することで、より高速に検査を行うことができる。
【００３８】
＜第１実施形態の封入物検査装置＞
図３は本発明の第１実施形態の封入物検査装置５０の概略模式図を示す。封入物検査装置５０は、封入物Ｃを内包した封筒Ｅを検査する。
【００３９】
本実施形態の封入物検査装置５０は、透過方式であって、封筒Ｅの中身である封入物Ｃの全ページを透過させて、中身全て（全ページ）を確認する。
【００４０】
封入物検査装置５０は、第１照射部５１と、第１撮影部５３と、情報処理部５５と、搬送手段（搬送部）５７と、押さえ手段（押さえ部、押さえ部材）５８とを有する。
【００４１】
本実施形態では、図３（ｂ）に示すように、封筒Ｅは、少なくとも一部に透明板５７３を含む検査路上に載置された状態で照射される。
【００４２】
第１照射部５１は、照射部の一例であって、近赤外線ＬＥＤ（Light Emitting Diode）によって構成され、封筒Ｅの表面又は裏面を、特定の近赤外線の波長で照射する。より好ましくは、第１照射部５１を構成する近赤外線ＬＥＤは、より好ましくは、１２００ｎｍ〜１５５０ｎｍの周波数の近赤外線の光を照射する。また、第１実施形態の透過方式の検査装置５０では、赤外線ＬＥＤは、拡散する面タイプが適している。
【００４３】
なお、照射部５１は、ハロゲンランプでも可能だが、高温により冷却装置が必要になり、製品化には高コストとなるためＬＥＤが最適である。なお、透過の光源として近赤外線のＬＥＤを採用することで、電磁波（テラヘルツ帯）を用いる場合よりも、透過結果を検出する時間が短縮可能であり、高速化を図ることが可能であるとともに、冷却装置が不要になるため、小型化することができる。
【００４４】
第１撮影部５３は、撮影部の一例であって、第１照射部５１と検査路を挟んで反対側に、第１照射部５１と対向するように配置される。
【００４５】
封入物Ｃは、図６に示すように、複数のページによって層状に、又は複数のページの各ページが折り畳まれることで層状に、封筒Ｅ内で内包されている。
【００４６】
封入物Ｃの各ページには、ページ識別情報として、該各ページに対応付けられた識別マークが、識別用に専用に印刷されている。
【００４７】
第１撮影部５３は、近赤外線感度特性を有する撮像素子を用いて、封筒Ｅが第１照射部で照射されている際に、封入物Ｃに印刷された、ページを識別するページ識別情報を含む領域を、第１照射部５１から照射された近赤外線の光を吸収させて形成させた像であって、封筒Ｅが透過している透過画像を、撮影する。
【００４８】
即ち、第１照射部５１の光を吸収することによって、封入物Ｃの複数のページの、各ページを識別する専用の識別マークを撮影する。
【００４９】
詳しくは、本実施形態では、第１照射部５１より照射された近赤外線の光は、封筒Ｅを及び封入物Ｃの印刷以外の部分の光が透過する。
【００５０】
そして、第１照射部５１からの近赤外線の光を吸収した、封入物Ｃの複数のページの、各ページを識別する専用の識別マークを、第１撮影部５３で撮影する。即ち、第１撮影部５３では、各ページを識別する専用の識別マークの部分が吸収されて暗く表される、透過画像を撮影する。
【００５１】
情報処理部５５は、検出された透過画像情報を取得する。そして、透過画像をＯＣＲ（Optical character recognition：光学文字認識）ソフトなどで分析し、識別マークを抽出して、封筒Ｅに内包される封入物Ｃが正しい内容かどうかを判別する。
【００５２】
本実施形態では、封筒Ｅは、搬送ライン上で搬送されながら、又は搬送を一時停止させた状態で、第１撮影部５３で撮影される。
【００５３】
ここで、搬送手段は、搬送ベルト５７１や、搬送ローラー５７２などを含む。
【００５４】
なお、搬送ベルト５７１の一部は、少なくとも透明なガラスや樹脂などで構成された、近赤外線を透過する透明板５７３を含む。近赤外線は、透明板５７３の内部を透過する際は、ほとんど減衰しないものとする。
【００５５】
また、押さえ手段５８は例えば、封筒Ｅをフィードするローラーや金属プレートなどである。図３の例は、押さえ手段５８は、ガイドプレート５８１の例を示している。
【００５６】
図３（ｂ）の上面図に示すように、両サイドに所定幅のガイドを設けて、ガイド支持部５８２で押圧されたガイドプレート５８１により封筒厚を規制させている。
【００５７】
押さえ手段５８によって、検査路上で、封筒Ｅが押さえられた状態で、照射部５１によって近赤外線が照射され、第１撮影部５３によって撮影される。
【００５８】
ここで、近赤外線の光が封筒Ｅを透過する際に、用紙内に空気が入っていると、その空気が近赤外線を乱反射させると共に、レンズの焦点がずれる事により、画像の劣化が見られる。よって、押さえ手段５８を設けることで、光が透過する際には、封筒Ｅ内の封入物Ｃが押さえられている状態で検出することにより、識別情報の検出状態を改善することができる。
【００５９】
また、図１に示すように、表示部５６を備え、検査結果を表示・通知してもよい。
【００６０】
このような構成の封入物検査装置では、例えば、高速インサーターの場合、２０通／ｓｅｃ以上の検出速度が実現できると好適である。
【００６１】
図４は、本発明の第１実施形態の封入物検査装置５０のブロック図を示す。
【００６２】
サーバー７０は、印刷システム（印刷装置）９０と、封緘装置（インサーター）１０と、封入物検査装置５０にインタフェースを介して、または、ネットワークを介して接続されている。
【００６３】
サーバー７０は、画像データ生成部７１と、識別マーク用データ生成部７２と、透過画像蓄積部７３とを備えている。
【００６４】
画像データ生成部７１は、書類である封入物Ｃのコンテンツ（記載内容）を形成するための一般的な印刷用の画像データを生成し、印刷システム９０へ送信する。
【００６５】
ここで、本実施形態では、全てのページを検査対象にしており、１つの撮影部で一気に確認できるため、専用のページ識別情報が必要となる。そこで、封入物Ｃとなる書類の夫々のページに、ページ識別情報として、各ページに対応付けられた識別マークが、識別用に専用に印刷されるように、サーバー７０の識別マーク用データ生成部７２で、識別マークを作成する。
【００６６】
生成された識別マークは、印刷システム９０において、封入物Ｃのコンテンツ（記載内容、印刷内容）を形成するための印刷用の画像データと一緒に印刷される。
【００６７】
さらに、識別マーク用データ生成部７２で生成された識別マークは、封入物検査装置５０での、正しく封入されているか否かの判別のために参照されるデータとして、マスター画像記憶部５５６へ送られる。
【００６８】
なお、図４では、サーバー７０で、印刷用の画像データ及び識別マークのデータが作成する例を示すが、印刷用の画像データ及び識別マークのデータは、印刷システムで作成されてもよい。この場合、封入物検査装置５０は、印刷システム９０と直接接続され、サーバー７０を介さずに、印刷用の画像データ及び識別マークを印刷システム９０から直接取得してもよい。
【００６９】
また、透過画像蓄積部（撮影画像蓄積部）７３では、封入物検査装置５０で撮影された封筒Ｅが透過された画像を、累積して保存する。
【００７０】
この際、撮影された画像の前後のページの紐付関係がわかるように記憶させる。例えば１つの封筒Ｅ内に含まれる複数のページの封入物（書類）Ｃについて検出した識別マークをまとめて１つの画像にしてもよいし、あるいは、２ページごとに前後の関係がわかるように紐付けながら画像にしてもよい。
【００７１】
このように、内容物の識別マーク（ログ）を蓄積することにより、完全性を担保可能することができる。また、すべての封筒Ｅの中身である封入物Ｃ（封入物Ｃの全ページ）を確認した記録を証拠として残すことができる。
【００７２】
なお、透過画像蓄積部７３は、封入物検査装置５０側に設けられていてもよい。あるいは、透過画像蓄積部７３は、封入物検査装置５０やサーバー７０とは異なる、専用のデータベース手段として独立して設けられてもよい。
【００７３】
封入物検査装置５０は、図３に示す、第１照射部５１と、第１撮影部５３と、押さえ手段５８と搬送手段５７に加えて、情報処理部５５を備えており、さらに、表示部５６や、重量・厚さ検出部５９を備えていてもよい。
【００７４】
第１撮影部５３は、検出部として、レンズ（近赤外線対応レンズ）５３１とカメラ（第１カメラ）５３２とで構成されている。
【００７５】
近赤外線対応レンズ５３１は、近赤外線に対応している。例えば、対応波長は８００ｎｍ〜１９００ｎｍである。また、レンズ５３１の焦点距離は、例えば、検出物である封筒Ｅの位置から８ｍｍ〜５０ｍｍであるとする。
【００７６】
第１カメラ５３２において、近赤外線を検出する撮像素子（近赤外線撮像素子５３３）には、例えば、ＩｎＧａＡｓセンサが用いられる。
【００７７】
近赤外線撮像素子５３３は、フォトダイオード（ＰＤ）であって、光電素子にＩｎＧａＡｓ（インジウムガリウム砒素）を用い、９００ｎｍ〜１７００ｎｍの波長帯において優れた感度特性がある。ＩｎＧａＡＳは、光通信や近赤外波長の光検出用途に最適である。
【００７８】
ここで説明した、撮像素子にＩｎＧａＡｓを用いたフォトダイオード（ＰＤ）を用いる場合では、上記の範囲であるが、本発明では他の近赤外線の波長の範囲（９００ｎｍ〜１７００ｎｍ）も適用可能である。
【００７９】
ただし、上記の９００ｎｍ〜１７００ｎｍ範囲外であると、検出のために必要なＬＥＤの光量が多くなり、光量を増やすために照射部が大型化し高価になるため、９００ｎｍ〜１７００ｎｍがより好ましい。
【００８０】
第１カメラ５３２内で、識別マーク領域透過画像生成部５３４は、ページ識別情報である識別マークを含む領域の透過画像を作成する。
【００８１】
情報処理部５５は、画像処理部５５１と、判定部５５４と、搬送制御部５５９とを備える。
【００８２】
画像処理部５５１は、識別マークを含む領域の透過画像から、エッジ加工及び２値化処理を行う。画像処理の具体例は図１０を用いて後述する。画像処理部５５１は、エッジ加工部５５２と２値化部５５３を備える。
【００８３】
判定部５５４は、撮影された透過画像（封筒Ｅを透過させて識別マークが見える画像）と、印刷システム９０又はサーバー７０から取得した元データを比較して、封筒Ｅ内に封入されている封入物Ｃが適合品か否かを判別する。判定部５５４は、識別マーク認識部５５５と、マスター画像記憶部５５６と、情報判定部５５７とを備える。
【００８４】
識別マーク認識部５５５は、画像処理された、識別マークを含む領域の透過画像に、光学文字認識を行い、識別マークを抽出する。
【００８５】
マスター画像記憶部５５６は、正しく封入されているか否かの判別のために参照される元データとして、各ページを識別する識別マークのデータを記憶しておく。
【００８６】
情報判定部（判別部）５５７は、識別マーク認識部５５５で抽出された識別マークと、マスター画像記憶部５５６で記憶された元データとを比較して、封筒Ｅに内包される封入物Ｃが正しい内容かどうかを判別する（マッチングを行う）。
【００８７】
例えば、封筒Ｅに封入される、複数のページに印刷される、夫々の識別マークは、ページ毎に異なるので、情報判定部５５７において、全てのページを確認することで、元データの識別マークと比較して、識別マークの不足が検出する場合は、ページの不足を検出できる。あるいは、異なる識別マークが検出される場合は、ページの誤混入が検出できる。
【００８８】
しかし、同一の識別マークを有するページが複数誤混入される場合も想定しうるので、情報判定部５５７による判定は、質量・厚さ検出部５９の結果も考慮して実行されると好ましい。
【００８９】
質量・厚さ検出部５９は、厚さと重さを測量することで、封筒Ｅ内に含まれる書類（封入物）Ｃのページの枚数を確認する。
【００９０】
例えば、同一のページ識別情報を有する同一の種類のページが複数誤って混入された場合は、封筒Ｅの厚みと封筒Ｅと内容物Ｃからなる封緘物の重さをチェックすることで、書類の過剰混入を防止できる。
【００９１】
なお、図４の封入物検査装置５０に設けられる情報処理部５５による画像処理や判定は、外部のコンピュータによって実行されてもよい。
【００９２】
また、搬送手段５７は、例えば、２０通／ｓｅｃ以上で撮影可能に封筒Ｅを搬送する。
【００９３】
押さえ手段５８は、例えば図３に示すようなガイド板状のガイドプレート５８１や、あるいは、図１５に示すようなローラー形状の搬送ローラー５７２を押さえ手段として兼用させてもよい。あるいは、搬送路にエア吸引機を用いて搬送路側に吸い込むように搬送させてもよい。このように押さえながら搬送することで、透過の際の識別情報の検出率をより向上させることができる。
【００９４】
このように、本実施形態のように封入物を検査することで、１枚目と残りの同封物が確実に同一宛先のものかを封筒を開けることなく確認が可能であり、完全性の保障することができる。
【００９５】
図５に、封入物検査装置５０に含まれる情報処理部（情報処理装置）５５のハードウエアブロック図を示す。図５に示すように、情報処理部５５は、ＣＰＵ（Central  Processing  Unit）８１、ＨＤＤ（Hard  Disk  Drive）８２、ＲＡＭ（Random  Access  Memory）８３、ＲＯＭ（Read  Only  Memory）８４、入力装置８５、補助記憶ドライバ８６、外部インタフェース８７、及び通信インタフェース８８などを備え、それぞれがバス８０で相互に接続されている。
【００９６】
通信インタフェース８８は、無線接続又は有線接続により、印刷システム９０又はサーバー７０と、接続可能なインタフェースである。通信インタフェース８８を介して、情報処理部５５は、識別マーク（ページ識別情報）や特定の１ページ（例えば１ページ目）の文字情報（宛名識別情報、図１２参照）を取得する。
【００９７】
ＨＤＤ８２は、各種プログラム及びデータを格納している不揮発性の記憶装置である。格納されるプログラム及びデータには、例えば情報処理部５５全体を制御する情報処理システム（例えば「Windows（登録商標）」や「UNIX（登録商標）」などの基本ソフトウェアであるＯＳ（Operating  System）、及び情報処理システム上において各種機能（例えば「文書作成・表作成・編集機能」）を提供するアプリケーションなどがある。
【００９８】
また、ＨＤＤ８２には本発明の実施形態に係る、画像処理プログラムも情報判定プログラムなどのアプリケーションの一部も格納してもよい。またＨＤＤ８２は、格納している上記プログラム及びデータを、所定のファイルシステム及び／又はＤＢ（Data  Base）により管理している。
【００９９】
また、通信インタフェース８８を介して取得した、識別マークや１ページ目の文字情報（図１３参照）などのデータはＨＤＤ８２へ保存されてもよいし、あるいはＮＶＲＡＭなどに保存されてもよい。
【０１００】
外部インタフェース８７は、有線接続により外部装置と接続するインタフェースであって、例えばＵＳＢドライバである。本実施形態では、外部インタフェース８７は、撮影部５３，５４（カメラ）と、接続可能である。そして、情報処理部５５に、カメラ５３２（５３３）で撮影した透過画像が転送される。
【０１０１】
ＲＯＭ８４は、電源を切っても内部データを保持することができる不揮発性の半導体メモリである。ＲＯＭ８４には、情報処理部５５が起動されるときに実行されるＢＩＯＳ（Basic  Input/Output  System）や、情報処理部５５のシステム設定及びネットワーク関連設定などのデータが格納されている。
【０１０２】
ＲＡＭ８３は、上記各種記憶装置から読み出されたプログラム及びデータを一時保持する揮発性の半導体メモリ（記憶装置）である。
【０１０３】
ＣＰＵ８１は、上記ＲＡＭ８３上に読み出したプログラムを実行することにより、情報処理部５５の全体制御及び各種搭載機能の動作を実現する。
【０１０４】
ドライブ装置の一例である補助記憶ドライバ８６は、着脱可能な外部記録媒体であるＣＤ−ＲＯＭ４などとのインタフェースである。補助記憶ドライバ８６は、図１９、図２０に示す独立型の封入物検査装置５００で利用される。
【０１０５】
情報処理部５５では、上記ハードウエア構成により、例えばＨＤＤ８２からＲＡＭ８３上に読み出した検査ドライバやアプリケーションに係るプログラムをＣＰＵ８１により実行することで、画像処理、情報判定、及び搬送制御を行うことができる。
【０１０６】
情報処理部５５と接続される表示部（表示装置）５６は、ディスプレイやタッチパネルなどを含み、情報処理部５５による処理結果（例えば、元データと透過撮影画像と検査結果の表示、図２０参照）などを表示する。
【０１０７】
＜＜封入物＞＞
図６に、図３の第１実施形態の封入物検査装置５０で用いられる封入物Ｃにおける識別情報の位置と折り方を示す。
【０１０８】
図６に示すように、封入物Ｃは、複数のページによって層状に、又は複数のページの各ページが折り畳まれることで層状に、封筒Ｅ内で内包されている。
【０１０９】
本実施形態の封入物検査装置５０では、全ページを透過するので、各ページを確認するために、識別マーク（確認マーク）の印刷が必要となる。この際、識別マークは重ならないように、１枚ずつずらして印刷をしておく必要がある。
【０１１０】
図６に示すように、封入物Ｃの各ページに対応付けられたページ識別情報を示す専用の像である識別マークは、封入物Ｃの各ページにおいて、ページごとに異なる位置に設けられる。
【０１１１】
封入物Ｃの各ページに対応付けられた識別情報を示す封筒Ｅの中身が正しいか確認するためのページ識別情報である識別マークは、形状によって識別されるものであれば何でもよい。
【０１１２】
ただし、不鮮明な画像を、より正確に検出するためには、以下を考慮して選択すると好適である。バーコードよりも漢字の方が、検出率が高く、漢字よりも数字の方が、検出率がさらに高い。よって、識別マークは、バーコードよりは、数字、図形（記号を含む）、若しくは文字のいずれかであると好ましい。
【０１１３】
さらに、数字を識別マークとして使用する場合、「３」、「５」、「６」、「８」、「９」よりも「０」、「１」、「２」、「４」、「７」の方が、比較的間違いの起こりづらいため、これらの数字を選択して使うと、より好ましい。
【０１１４】
また、識別マークとして、検出しやすい図形として、■、□、▲、△、Ｘなどの図形などを使用してもよい。
【０１１５】
または、識別マークは、封入物Ｃである書類を、所定数枚、重ねることで、「何らかの数字、図形、若しくは文字」になるような、数字、文字、若しくは記号のいずれかの一部であってもよい。
【０１１６】
例えば、いずれか一部の例として、封筒内に５枚の封入物Ｃを入れる場合で、「正」文字の一画のみが記載されており、５枚を重ねることで「正」が撮影できれば、５枚（正確には５枚以上）入っているというのが確認できる。
【０１１７】
ここで、識別マークは、近赤外線を透過しない材料を用いて封入物Ｃである書類に形成される。近赤外線を透過しない材料とは、後述するトナーや顔料インクである。また、暗い色の方が検出しやすいため、上記近赤外線を透過しない材料で、黒や黒に近い色を用いて識別マークを形成するとさらに好ましい。
【０１１８】
なお、本発明では、識別マークの形状によって、夫々のページを識別するため、ページ毎に識別マークの材料や色を変更する必要はない。
【０１１９】
したがって、識別マークを印刷するために、特殊なインクを使用する必要がないため、印刷システムを変更する必要がなく、現行の運用に適用しやすいという利点がある。
【０１２０】
しかし、封筒内の封入物のページ数が増えると全ページの検出イメージが劣化してくる傾向にある。
【０１２１】
そこで、封緘装置１０の折り部２０（図１参照）は、封入物Ｃが封筒Ｅに挿入可能になるサイズで、各封入物Ｃについて、印刷された送り先を特定する識別情報が、他の部分と重ならないように折り畳む。
【０１２２】
図７に図６の具体的な封入物の識別マークの位置を示す図を示す。
【０１２３】
例えば、図７に示すように、定型封筒内でＡ４用紙を三つ折にする場合、ページ数が３倍となる。その場合は、用紙の折り方を工夫し、図７に示すような寸法で、識別マークのところは重ならないように折る。この折り方により、１ページにつき１層のみが透過対象になるため、重ねて折り畳むよりも、透過による検出の精度が向上させることができる。
【０１２４】
＜＜封筒＞＞
図８に、本発明の封入物検査装置５０で検査される封筒の例を示す。
【０１２５】
一般的に、封筒の種類として、配達の際の情報漏洩を防ぐために、内側面に地紋が形成されているものがある。
【０１２６】
ここで、封入物検査装置５０における検出物（封緘物）において、印字されたもの（トナー又は顔料インク）は近赤外線の波長の光を透過しない物質であるため、透過画像内では黒く表示され、封筒Ｅや封入物Ｃの紙（非印字部分）は近赤外線の波長を透過するため白く表示される。
【０１２７】
基本的に紙は透過するが、トナー炭素部分が光を透過しない（吸収・反射する）ために封筒内のトナーで書かれた文字を検出可能となる。また、インクは、基本的に水性（染料インク）は透過するが、顔料インクは吸収・反射するために検出可能となる。つまり、検出物の成分を選択し、近赤外線を照射し、透過するか、透過しないかの性質を確認すれば、検出が可能となる。
【０１２８】
封筒の中には、個人情報を透かして見せないように、内側に地紋が印刷されているものがある。ここで、水性インクは透過されるので、水性インクで地紋を印刷して透かし防止封筒を作成すると、可視光により封筒を透かして内容物の確認をしようとしても地紋により目視が出来ない。且つ、本構成のシステムであれば内容物の確認（撮像）をすることが可能となる。
【０１２９】
この裏地紋のインクを選択する事により、人の目では地紋で中身を透かして見ることはできないが、近赤外線で透過させて中身を確認することが可能となる。つまり、透過性インクなら透過して確認ができるため、全面に可視光による透かし防止地紋を施しても、本発明の封入物検査装置で封入物を検査することができる。
【０１３０】
図８（ａ）では、地紋なし部を設けずに、可視光の透過防止地紋（可視光透け防止地紋）Ｐ１を設ける封筒Ｅ１（窓付き封筒ＷＥ）の例を示している。
【０１３１】
また、識別情報の検出率をさらに向上するために、図８（ｂ）に示すように、封筒Ｅ１に、マーク確認部Ｍとして、裏地紋（可視光の透過防止地紋Ｐ１）を形成しない領域を設けてもよい。
【０１３２】
図８（ｂ）のような封筒Ｅ１を用いる場合、封入物Ｃの複数のページでは、ページ識別情報である識別マークが形成される識別マーク領域（図７参照）は、マーク確認部Ｍ以内に収まるように印刷されると好適である。
【０１３３】
しかし、当技術を悪用して、封筒の封を空けずに中身を検出することも可能となる。例えば、銀行口座番号や、カード番号や、マイナンバー、株式保持情報、病院の検査結果等は特に機密性が高い情報である。
【０１３４】
そこで、本発明の封入物検査装置が悪用されて使用されても、機密情報の部分は透過されず、情報漏洩を防止可能な封筒として、図９に本発明の封入物検査装置でも透過されない部分を含む封筒の例を示す。
【０１３５】
図９に示す、抜き取り防止封筒では、裏地紋の材質を非透過性トナーやインク（個人情報は全て地紋内エリアに隠す）を用いる。
【０１３６】
例えば、近赤外線でも透過不可能な例として、近赤外線が透過しない特殊なインクを用いてもよいが、例えば、黒に近い色のインクを用いて地紋を作成すると、近赤外線が透過しにくいため、特殊なインクを用いなくても、悪用防止の封筒を作成することができる。
【０１３７】
その場合の中身の検出方法として、マーク確認部Ｍのみを地紋をかけずに、マークだけを確認し、中身に誤りがないかを検証することができる。
【０１３８】
よって、図９に示すように悪用防止封筒Ｅ２において、マーク確認部Ｍを地紋なし部、その他の部分に可視光の透過防止地紋Ｐ１を設け、機密情報に対応する部分に、可視光及び近赤外線の透過防止地紋（可視光及び近赤外線透け防止地紋）Ｐ２を設けてもよい。
【０１３９】
可視光及び近赤外線での透過を防止する悪用防止封筒Ｅ２の別の例として、可視光の透過防止地紋Ｐ１を設けずに、マーク確認部Ｍを地紋なし部とし、機密情報に対応する部分に、可視光及び近赤外線の透過防止地紋Ｐ２を設けてもよい。
【０１４０】
可視光及び近赤外線での透過を防止する悪用防止封筒Ｅ２Ｓ２のさらに別の例として、地紋なし部を設けずに、マーク確認部Ｍに可視光の透過防止地紋Ｐ１を設け、機密情報に対応する部分を含むマーク確認部Ｍ以外の部分に、可視光及び近赤外線の透過防止地紋Ｐ２を設けてもよい。
【０１４１】
これにより、図９の本発明の技術を用いても完全に見えない封筒を用いることで、誤送付を予防しながら、より高いセキュリティが実現できる。
【０１４２】
＜＜画像処理＞＞
図１０は本発明の封入物検査装置５０で実施される画像処理を説明する図である。封筒・用紙・検出物によって、取得した画像が鮮明でなくなる場合がある。そこで、検出率を向上させるため、画像処理を行うと好適である。画像処理として、例えば、エッジ加工や２値化を実施する。
【０１４３】
エッジ加工部５５２（図４参照）で行うエッジ加工は、例えば、特徴検出(Feature detection)や特徴抽出(Feature extraction)の一種であり、撮影した透過画像の明るさが不連続に変化している箇所を特定して検出して、不連続部分を強調して示す。
【０１４４】
そして、図４の２値化部５５３で行う２値化の例を示す。図１０の上部に示すように少し不鮮明な透過画像に対して２値化を行う場合、反射率のスレッシホールド（閾値）を設定し、それ以下なら黒、それ以上なら白に変換すると、図１０の下部に示すように、画像を明確にすることが可能である。
【０１４５】
このように、文字認識（ＯＣＲ）を行う前に画像処理を行うことで、鮮明度を増すことができる。
【０１４６】
＜第２実施形態＞
図１１（ａ）に、本発明の第２実施形態の封入物検査装置５０Ａの概略模式図を示す。図１１（ａ）に示すように、本実施形態では、上下反転した２つの透過式の検査部が設けられている。
【０１４７】
第１の検出部として、搬送路の下方に配置される下方第１照射部５１Ｌと、搬送路の上方に配置され、下方第１照射部５１Ｌと対向して配置される上方第１撮影部５３Ｈとが設けられている。
【０１４８】
また、第２の検出部として、搬送路の上方に配置される上方第１照射部５１Ｈと、搬送路の下方に配置され、上方第１照射部５１Ｈと対向して配置される下方第１撮影部５３Ｌとが設けられている。なお、下方からの撮影と上方からの検出の順序は逆であってもよい。
【０１４９】
図１１（ｂ）に封筒Ｅ内の照射・検出イメージ図を示す。図１１（ｂ）では、封入物Ｃが内包された封筒Ｅ、即ち封緘物の側面の拡大模式図を示しており、１０枚の封入物Ｃが封筒Ｅ内に内包された状態を示す。
【０１５０】
第１の検出部において、上方第１撮影部５３Ｈでは、下方第１照射部５１Ｌから照射された光を吸収することによって、封入物Ｃの上側の複数のページに印刷された各ページを識別する専用の識別マークを撮影する。
【０１５１】
第２の検出部において、下方第１撮影部５３Ｌでは、上方第１照射部５１Ｈから照射された光を吸収することによって、封入物Ｃの下側の複数のページに印刷された各ページを識別する専用の識別マークを撮影する。
【０１５２】
近赤外線が封筒及び封入物を透過する際に、枚数が多い場合、１枚目、２枚目・・・と画像が劣化してくる。詳しくは、カメラに近い層に焦点を併せた場合、カメラから離れる層になればなるほど得られる撮像画像品質が不鮮明になる。
【０１５３】
そのため、例えば、第１実施形態において、検査対象となる、封入物のページ数が、検出可能なページ数を超過するような、封入物に厚みがある場合は、封筒を裏返して再度検査する必要あった。
【０１５４】
このように、封入物に厚みがある場合、本構成であれば、上下からの識別処理となるため、裏返して再度検査することなく、封入物のページ数について、倍の枚数を検出することができる。
【０１５５】
例えば、識別マークの種類にもよるが、第１実施形態の構成で、封入物において識別マークの検出可能なページは、６枚程度であるとする。この場合、第２実施形態のように検出部を設けると、上下両方から検出できるため、倍の枚数である、１０〜１３枚程度まで検出可能である。
【０１５６】
例えば、日本において定型封筒では最低料金で郵送できるのは２５ｇまでなので、例えば３つ折りＡ４普通紙を封入物として入れると、７枚程度内包させることができる。
【０１５７】
本構成を用いると、上下方向から検出できるため、上記枚数を内包させても、すべてのページの識別マークを検出することができる。上記のように透過させることで、封筒の中身を全て事前検証することができる。
【０１５８】
このように、本実施形態では、上下から検出するため、取得できる撮影画像が増加するため、検出画質の劣化を防止して検出品質を向上させると共に、検出可能な封入物のページ数を増加させることができる。
【０１５９】
＜＜第３実施形態＞＞
図１２に本発明の第３実施形態の封入物検査装置５０Ｂの概略模式図を示す。
【０１６０】
本実施形態の封入物検査装置５０Ｂでは、反射方式であって、封筒Ｅの中身である封入物Ｃの、第２撮影部５４に最も近いページ（層）を透過し中身を確認する。
【０１６１】
内容物の最上位面には通常、顧客氏名・住所・顧客番号等の顧客が先ず確認すべき情報が記載されている場合が多く、記載場所は送付元のレイアウト次第となっており、多様な位置に配置される。
【０１６２】
本実施形態では、第２撮影部５４は、近赤外線感度特性を有する撮像素子を用いて、封筒Ｅが第２照射部５２で照射されている際に、封入物Ｃに印刷された封筒Ｅの宛名を識別する宛名識別情報（宛先識別情報）を含む領域を、第２照射部から照射された近赤外線の光を反射させて形成させた像であって、封筒Ｅが透過している透過画像を撮影する。
【０１６３】
図１２（ａ）、図１２（ｂ）のような反射方式の光の照射の場合は、照射部である第２照射部５２Ｌ，５２Ｈは、照射角の狭いバータイプの光源を利用すると好適である。
【０１６４】
なお、本実施形態では、撮影部である第２撮影部５４Ｌ，５４Ｈは、第２照射部５２Ｌ，５２Ｈと検査路に対して同じ側に配置されている。
【０１６５】
図１２（ａ）の構成では、検査路の下側に配置された第２撮影部５４Ｌは、検査路の下側に配置された第２照射部５２からの近赤外線の光を反射した、第２撮影部５４Ｌに最も近いページ（最下位層）に、印刷された宛名を識別する通常の（一般的な）文字、数字若しくは図形を含む領域を、撮影する。即ち、第２撮影部５４Ｌでは、宛名を識別する通常の（一般的な）文字、数字若しくは図形の部分が吸収されて暗く表される、透過画像を撮影する。
【０１６６】
そして、情報処理部（情報処理装置）５５Ｂ（図１３参照）において、最下位層の透過画像に対して、画像処理、及び光学的文字認識処理を行い、宛名を識別する文字、数字若しくは図形を検出する。
【０１６７】
なお、上述と同様に、封筒内で、内容物が層状に形成されている。この際、複数枚の記録紙で層を形成しているものはもとより、１枚の内容物が２つ以上に折り畳まれ、層を形成されている態様も含む。
【０１６８】
なお、本実施形態のような反射方式では、封筒１枚のみ透過させればよいので、図３、図１１に示す透過方式の封入物検査装置５０，５０Ａの第１照射部５１よりも、第２照射部５２は少ない光量でもよい。
【０１６９】
上述のように搬送路の下側で反射して透過画像を作成する場合は、検査路において、特定の１ページ（例えば１ページ目）の宛先部が透過可能なように、少なくとも一部は透明板を配置していると好ましい。
【０１７０】
ここで、内容物は、封筒内では、層状に形成されており、複数枚の記録紙で層を形成しているものはもとより、１枚の内容物が２つ以上に折り畳まれ、層を形成されている態様も含む。
【０１７１】
そして、封入物Ｃが層状の状態で第２撮影部（カメラ）５４から最も近いページ（特定の１ページ）とは、カメラが上方に配置される場合は最上位層、カメラが下方に配置される場合は最下位層に相当する。
【０１７２】
図１２（ｂ）に第３実施形態の反射式の封入物検査装置の他の例を示す。図１２（ａ）では、下方から照射し、下方で撮影する例を示したが、上方から照射し、上方から撮影してもよい。
【０１７３】
図１２（ｂ）の構成では、検査路の上側に配置された第２撮影部５４Ｈは、検査路の上側に配置された第２照射部５２Ｈの近赤外線の光の反射された、第２撮影部５４Ｈに最も近いページ（最上位層）に、印刷された宛名を識別する通常の文字、数字若しくは図形を撮影する。そして、情報処理部５５Ｂ（図１３参照）において、最下位層の画像処理、及び光学的文字認識処理により、宛名を識別する文字、数字若しくは図形を検出する。
【０１７４】
図１２（ｃ）に封筒Ｅ内の照射・検出イメージ図であって、封緘物の側面の拡大模式図を示す。なお、この図は、図１２（ｂ）の構成の例に対応して示しているが、上下が逆の場合も同様である。下記、上方と下方で、同様の説明をする際はＨ、Ｌを外して説明する。
【０１７５】
第２撮影部５４は、封入物Ｃの第２撮影部５４に最も近いページ（層）の封入物Ｃに印刷された通常の文字又は記号を宛先の識別情報として、第２照射部５２の光の反射によって封筒Ｅを透過させて撮影する。
【０１７６】
なお、本実施形態のような反射方式では、封筒１枚のみを透過させればよいので、上記実施形態に示す透過方式の第１照射部５１よりも、第２照射部５２で照射する近赤外線の光量は少ない光量でもよい。
【０１７７】
図１３に本発明の第３実施形態の封入物検査装置５０Ｂのブロック図を示す。
本実施形態の概略は図４に示す第１実施形態の封入物検査装置５０と同様であるが、第２のカメラで検出するものは、１ページ目（特定の１ページ）の宛先情報のため、その識別に関する構成が異なる。下記、図４と異なる点のみ説明する。
【０１７８】
本実施形態では、既存の印刷物から、識別用のマークを設けずに、予め印刷されている一般的な印刷内容の一部として、１ページ目の宛先を識別する宛名識別情報を検出する。そのため、本実施形態のサーバー７０Ｂでは、専用のマーク（識別マーク）を作成する必要がないため、識別マーク用データ生成部７２は設けられていない。
【０１７９】
また第２撮影部５４の第２カメラ５４２において、透過画像の生成に用いる、宛先情報領域透過画像形成部５４４を備えている。
【０１８０】
また、情報処理部５５Ｂの判定部５５４Ｂでは、識別マーク認識部５５５ではなく、１ページ目文字/数値認識部５５８を備える。
【０１８１】
マスター画像記憶部５５６Ｂは、１ページ目が正しく封入されているか否かの判別のために参照される元データとして、宛名を識別する通常の文字、数字若しくは図形のデータを記憶しておく。
【０１８２】
情報判定部５５７Ｂは、１ページ目文字/数値認識部５５８で抽出された宛名を識別する文字、数字若しくは図形のデータと、マスター画像記憶部５５６Ｂで記憶された元データとを比較して、封筒Ｅに内包される封入物Ｃの１ページ目が正しい内容かどうかを判別する。
【０１８３】
このような構成により、窓なし封筒でも、封筒の宛先と内容物が同一宛先のものかを封筒を開けることなく確認が可能である。
【０１８４】
また、内容物のログの蓄積により、照合状態を記憶させることができる。
【０１８５】
図１４に、図１２の第３実施形態の封入物検査装置５０Ｂで用いられる封入物Ｃにおける宛名識別情報の位置を示す。
図１４に示すように、本実施形態では、封筒の１枚を透過させて、宛先を照合するため、主に窓なし封筒への適用を前提としている。
【０１８６】
本実施形態では、反射方式で検査対象は特定の１ページである１ページ目又は最終ページ（最上位層又は最下位層）のみなので、下の用紙と文字などが重なっても一枚目だけ見ることができるため、位置は限定されない。
【０１８７】
この構成により、窓なし封筒でも、封筒記載の宛先が中身の宛先と比較・検証することができるため、封筒の宛先と内容物が同一宛先のものかを封筒を開けることなく確認が可能となる。
【０１８８】
さらに、宛先確認には、下の用紙の文字と重なっていても、「現行の印刷のままで適用可能」となる。
【０１８９】
本実施形態の反射式の検査では、封入物を複数枚重なって透過させることを前提としておらず封筒のみを透過させればよいため、図７に示すように専用のマークや場所の指定を必要とせず、文字、数字、図形などの、印刷された一般的な画像をそのまま宛先識別情報として検査すればよい。
【０１９０】
したがって、現状の印刷状況を変更することなく、確認できるため、印刷側に何も負担をかけることなく、簡単に検査ができる。
【０１９１】
なお、図１０に示すような悪用防止封筒Ｅ２を用いる場合は、機密情報の透過を防止する、可視光及び近赤外線の透過防止地紋Ｐ２以外の場所に、宛先識別情報を印刷するものとする。
【０１９２】
なお、本実施形態では、検査対象となる封入物の説明で、「特定の１ページ」の例として、『第２撮影部５４に最も近いページ』、『最上位層』、『最下位層』等々の表現を用いて説明を行ったが、これに限定するものではなく、例えば、封筒と検査対象の封入物の間に薄い用紙や透明なシート等が存在していても反射光で得られる撮影画像が検査可能に得られれば良いことは言うまでもない。
【０１９３】
＜第４実施形態＞
図１５に本発明の第４実施形態の封入物検査装置５０Ｃの概略模式図を示す。本実施形態では、図３に示す第１実施形態の透過方式の検出部と、図１２（ａ）に示す第３実施形態の反射方式の検出部とを備える。
【０１９４】
図１５に示す構成において、第１の検出部は、反射方式で検査を行い、第２の検出部は透過方式で検査を行う。
【０１９５】
反射方式の第１の検出部では、第２撮影部５４Ｌに最も近いページ（最下位層）に印刷された宛名を識別する通常の文字、数字若しくは図形を含む領域を撮影する。
【０１９６】
また、透過方式の第２の検出部では、封入物Ｃの全ての複数のページに印刷された各ページを識別する専用の識別マークを、第１撮影部５３Ｈが、上方から撮影する。
【０１９７】
この際、照射部として、反射方式ではバータイプ照射ＬＥＤ、透過方式では面タイプＬＥＤと分けた方が良好な画像が得られる。
【０１９８】
本実施形態では、異なる方式の検出部を組み合わせているため、宛先誤送付を防止すると共に、封筒内にすべてのページが揃っていることを確認が可能になり、検出精度を向上させることができる。なお、図１５に示す例は一例であって、上下を反転させたり、順番を入れ替えてもよい。
【０１９９】
ここで、図１５に示すように、押さえ手段の他の例として、搬送手段である搬送ローラー５７２が押さえ手段を兼任していてもよい。封筒において、搬送方向の先端及び/又は後端が、一対の搬送ローラーで挟まれた状態で搬送されることで、押さえられていてもよい。
【０２００】
＜第５実施形態＞
図１６に本発明の第５実施形態の封入物検査装置５０Ｄの概略模式図を示す。本実施形態では、図１１に示す第２実施形態の透過方式の上下検出部と、図１２（ｂ）に示す第３実施形態の反射方式の検出部とを備える。
【０２０１】
反射方式の第１の検出部により、第２撮影部５４Ｌに最も近いページ（最下位層）に印刷された宛名を識別する通常の文字、数字若しくは図形を含む領域を撮影する。
【０２０２】
また、透過方式の第２の検出部により、封入物Ｃの上側の複数のページに印刷された各ページを識別する専用の識別マークを、上方から第１撮影部５３Ｈで撮影する。
【０２０３】
また、透過方式の第３の検出部により、封入物Ｃの下側の複数のページに印刷された各ページを識別する専用の識別マークを、下方から第１撮影部５３Ｌで撮影する。
【０２０４】
本実施形態では、異なる方式の検出部を組み合わせていため、宛先誤送付を防止すると共に、封筒内にすべてのページが揃っていることを確認が可能になり、さらに枚数を増やした場合にも適用可能であり、検出精度をさらに向上させることができる。なお、図１６に示す例は一例であって、上下を反転させたり、順番を入れ替えてもよい。
【０２０５】
＜第６実施形態＞
図１７に本発明の第６実施形態の封入物検査装置５０Ｅの概略模式図と、第６実施形態で用いられる封入物Ｃでの識別情報の位置を示す。本実施形態では、２つの照射部と１つの撮影部とを備える。
【０２０６】
図１７に示すように、本実施形態では、２つの照射部として、直線透過用に用いられる第１照射部５１Ｈと、該第１照射部５１Ｈと搬送路を挟んで反対側に配置された第２照射部５２Ｌとが設けられている。
【０２０７】
また、１つの撮影部として、第１照射部５１と搬送路を挟んで反対側であって、第２照射部５２Ｌと同じ側に配置された一体型撮影部５３Ｗを備える。
【０２０８】
一体型撮影部５３Ｗは、第１照射部５１Ｈの光を吸収することによって、封入物Ｃの複数のページに印刷された各ページを識別する専用の識別マークを撮影するとともに、第２照射部５２Ｌの光の反射によって、一体型撮影部５３Ｗに最も近いページ（特定の１ページ）に、印刷された宛名を識別する通常の文字、数字若しくは図形を撮影する。なお、図１７（ａ）に示す構成例は一例であって、上下を反転させてもよい。
【０２０９】
図１７（ｂ）に、第６実施形態で用いられる封入物Ｃの例を示す。図１７（ｂ）に示すように、撮影を対象とするエリア（領域）が異なっている。
【０２１０】
詳しくは、本実施形態で用いられる、封入物Ｃの特定の１ページ（例えば、最初のページ又は最後のページ）において、各ページを識別する専用の識別マークを含む領域は、宛名を識別する通常の文字、数字若しくは図形とは異なる位置に設けられている。
【０２１１】
この構成では、第１の検出部と第２の検出部のカメラを共通させている。カメラの設置数を少なくすることで、２種類の方式で透過させることを実現しながら、省スペース化及び備低コスト化を図ることができる。
【０２１２】
＜第７実施形態＞
図１８に本発明の第７実施形態の封入物検査装置５０Ｆの概略模式図を示す。本実施形態では、１つの照射部と２つの照射部とを備える。
【０２１３】
図１８に示すように、透過方式、反射方式の両方に使用される照射部５１が設けられている。
【０２１４】
撮影部として、一体型照射部５１Ｗと搬送路を挟んで反対側に、一体型照射部と対向して配置される第１撮影部５３Ｈと、一体型照射部５１Ｗと搬送路に対して同じ側に配置された第２撮影部５４Ｌとを備えている。
【０２１５】
第１撮影部５３Ｈは、一体型照射部５１Ｗの光を吸収することによって、封入物Ｃの複数のページ（全てのページ）に印刷された、各ページを識別する専用の識別マークを撮影する。
【０２１６】
第２撮影部５４Ｌは、一体型照射部５１Ｗの光を反射することによって、第２撮影部５４Ｌに最も近いページに印刷された、宛名を識別する通常の文字、数字若しくは図形を撮影する。
【０２１７】
本実施形態では、第１撮影部５３Ｈと第２撮影部５４Ｌによって用いられる照射部を一体型として、共通させている。したがって、ＬＥＤの設置数を少なくすることで、２種類の方式で透過させることを実現しながら、省スペース及び低コスト化を図ることができる。
【０２１８】
ただし、透過方式は、面型の光源が好ましく、反射方式は、バー型の光源が好ましいため、光源を共通化することがどちらかの型の光源を選択して使用するため、別々に設置するよりも検出精度が低下するおそれがあるため、検出精度と、スペースやコストのメリットと比較して適宜設計を選択する。
【０２１９】
上述の実施形態では、封入封緘検査システムの中に含まれる封入物検査装置の例を説明したが、本発明に係る封入物検査装置は独立型であってもよい。
【０２２０】
＜独立型の封入物検査装置＞
図１９に本発明の一構成に係る独立型の封入物検査装置５００の概略外観図を示す。独立型の封入物検査装置５００においても、封入物Ｃを内包した封筒Ｅを検査する。
【０２２１】
なお、構成は図３〜図１８に示す第１実施形態〜第７実施形態のいずれの構成を適用してもよい。
【０２２２】
このような独立型の封入物検査装置５００は、既存の封緘装置と接続して設けられてもよい。この場合、検査媒体である封緘物が、上流部（フィーダー等）から供給され、封入物検査装置５００にて、封緘物を搬送しながら透過させて検査することができる。
【０２２３】
また、図１９に示す封入物検査装置５００は独立型なのでオフラインでも使用可能であり、例えば、別の場所で機械封入した封緘物や手作業で封入した封緘物などを検査することができる。
【０２２４】
また、封入物検査装置５００をオフラインで作動させる場合、図５に示す情報処理部５５の補助記憶ドライバ８６で、ＣＤ−ＲＯＭやＵＳＢメモリなどの外部記憶媒体４から識別情報（識別マーク）や、印刷情報を取得して、撮影した画像と照合させてもよい。
【０２２５】
なお、図１９に示す独立型の封入物検査装置５００においても、仕分け部６０と接続可能であり、検査結果に応じて、封緘物の合格品と不合格品と仕分けして、検査の不適合品を、下流部のＮＧＢＯＸ（不合格品排出部）へ排出させることもできる。
【０２２６】
＜手動の独立型封緘物検査装置＞
図２０に本発明の他の構成に係る手動押し付け型の独立型の封入物検査装置５００Ａにて検査している状態を示す。上述したいずれの実施形態も、搬送しながら、又は搬送し一時停止しながら、封緘物を検査したが、独立型の封入物検査装置は、搬送ラインを備えていなくてもよい。
【０２２７】
搬送ラインがないため、作業者Ｗが、透明板（ガラスや樹脂）に置くことで、封入物Ｃを内包した封筒Ｅを検査することができる。この際、下側に設けられたカメラの焦点距離を均一にするため、作業者Ｗは封筒Ｅを、透明板５７３に押し当てて検出すると、検出率は向上し好適である。
【０２２８】
この場合、検査結果は、ディスプレイやタッチパネルなどの表示部５６で、表示される。例えば、図２０に示すように、識別用の元データと、検出したデータを対比させて並べて表示すると好ましい。
【０２２９】
図２０では、透過型の検出部１つと、反射型の検出部１つを設けた例を示しているが、このような手動の封入物検査装置５００Ａにおいて、上記図３〜図１８に示す第１実施形態〜第７実施形態のいずれの構成を適用してもよい。
【０２３０】
この構成は、独立型なので、別の場所で機械封入した封緘物や手作業で封入した封緘物など様々な媒体を検査することができる。なお、表示結果に応じて、例えば非合格品を、台車６５へ仕分けしてもよい。
【０２３１】
図２０に示す手動の独立型の封入物検査装置５００Ａは、搬送ラインを有していないので、その分、低コスト化を図ることができる。また、本構成でも近い赤外線を用いて検出しているため、電磁波と比較して露光時間が不要になり、透過結果を検出する時間が短縮できる。
【０２３２】
上述のように、本発明の複数の実施形態において、いずれも近赤外線を用いて検出するため、作用として「安価な構成」で確実に誤送付の予防が可能となる。
【０２３３】
上述の説明では、封入物として書類を例に挙げて説明するが、封入物は、封筒内に収められる、印刷が行われた記録媒体（物体）であれば、材質としては「紙」に限られない。なお、記録媒体は、情報を記録することが可能であり、本発明の照射光を透過させる性質を有していればよい。
【０２３４】
例えば、封入物は封筒内に封入可能な、「シート状の物体」であればよい。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体や粉体が付着するすべてのものが含まれる。例えば、上記「封入物」の材質は、紙、糸、繊維、布帛、皮革、金属、プラスチック、ガラス、木材、セラミックスなどであり、液体が一時的でも付着可能な材質であればよいが、近赤外線が透過可能なものであるとする。
【０２３５】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０２３６】
１  封入封緘検査システム
１０  封緘装置
２０  折り部
３０  封入部
４０  封緘部
５０，５０Ａ，５０Ｂ，５０Ｃ，５０Ｄ，５０Ｅ，５０Ｆ  封入物検査装置
５１  第１照射部（照射部）
５１Ｈ  上方第１照射部
５１Ｌ  下方第１照射部
５１Ｗ  一体型照射部
５２  第２照射部（照射部）
５２Ｈ  上方第２照射部
５２Ｌ  下方第２照射部
５３  第１撮影部（撮影部）
５３Ｈ  上方第１撮影部
５３Ｌ  下方第１撮影部
５３Ｗ  一体型撮影部
５３１  近赤外線対応レンズ
５３２  第１カメラ
５３３  近赤外線撮像素子
５３４  識別マーク領域透過画像作成部
５４  第２撮影部（撮影部）
５４Ｈ  上方第２撮影部
５４Ｌ  下方第２撮影部
５４１  近赤外線対応レンズ
５４２  第２カメラ
５４３  近赤外線撮像素子
５４５  識別マーク領域透過画像作成部
５５，５５Ｂ  情報処理部（情報処理装置）
５５１  画像処理部
５５２  エッジ加工部
５５３  ２値化部
５５４，５５４Ｂ  判定部
５５５  識別マーク認識部
５５６  マスター画像記憶部
５５７  情報判定部（マッチング部、判別部）
５５８  １ページ目
５５９  搬送制御部
５６  表示部
５７  搬送手段
５７１  搬送ベルト（検査路）
５７２  搬送ローラー
５７３  透明板
５８  押さえ手段
５８１  板状押さえ手段
５８２  押さえ支持部
５９  質量・厚さ検出部
６０  仕分け装置
７０，７０Ｂ  サーバー
７１  画像データ生成部
７２  識別マークデータ生成部
７３  透過画像蓄積部（撮影画像蓄積部）
５００，５００Ａ  封入物検査装置（独立型）
Ｃ  封入物
Ｅ  封筒
Ｅ１  可視光の透過防止封筒
Ｅ２  可視光及び近赤外線の透過防止封筒（悪用防止封筒）
ＷＥ  窓なし封筒
ＢＥ  窓つき封筒
Ｐ１  可視光の透過防止地紋（可視光透け防止地紋）
Ｐ２  可視光及び近赤外線の透過防止地紋（可視光及び近赤外線透け防止地紋）
封筒Ｅ＋封緘物Ｃ  封緘物（検査媒体）
【先行技術文献】
【特許文献】
【０２３７】
【特許文献１】特開２０１３−１８６１０４号公報
【特許文献２】特開２０１１−１４１２３３号公報
【図１】
2018058258.tif 000003
【図２】
2018058258.tif 000004
【図３】
2018058258.tif 000005
【図４】
2018058258.tif 000006
【図５】
2018058258.tif 000007
【図６】
2018058258.tif 000008
【図７】
2018058258.tif 000009
【図８】
2018058258.tif 000010
【図９】
2018058258.tif 000011
【図１０】
2018058258.tif 000012
【図１１】
2018058258.tif 000013
【図１２】
2018058258.tif 000014
【図１３】
2018058258.tif 000015
【図１４】
2018058258.tif 000016
【図１５】
2018058258.tif 000017
【図１６】
2018058258.tif 000018
【図１７】
2018058258.tif 000019
【図１８】
2018058258.tif 000020
【図１９】
2018058258.tif 000021
【図２０】
2018058258.tif 000022